(57)【要約】      （修正有）【課題】ロック状態からアンロック状態へ移行する際の異音を抑制する引戸用補助錠を提供する。【解決手段】内外に配置した引戸１，２の一方の引戸の屋内側に取付ける基板７と、基板に折り畳み可能に枢着するロック板１０，１１と、を備える。ロック板は、基板側へ折り畳み時に他方の引戸の移動域外に位置して他方の引戸の移動を許容するアンロック状態と、他方の引戸の移動域内に突出して他方の引戸と当接し、引戸の移動を阻止するロック状態と、を形成可能にされている。ロック板の裏面にマグネット２０，２１を取り付け、マグネットの磁力によってロック板のアンロック状態を維持可能にした引戸用補助錠であり、また、アンロック時にマグネットの吸着面と基板との間に空隙を設け、ロック板のアンロック状態を維持可能にする。【選択図】図１
2016023431.tif 000002
【特許請求の範囲】
【請求項１】
内外に配置した引戸の一方の引戸の屋内側に取付ける基板と、該基板に折り畳み可能に枢着するロック板と、を備え、該ロック板は、基板側へ折り畳み時に他方の引戸の移動域外に位置して前記他方の引戸の移動を許容するアンロック状態と、他方の引戸の移動域内に突出して前記他方の引戸と当接し、該引戸の移動を阻止するロック状態と、を形成可能にされ、前記ロック板の両側に側片を対向配置し、かつロック板の枢着側に基板と係合可能な係止片を形成して、アンロック時にロック板を基板から離間して平行に配置するとともに、ロック板の裏面にマグネットを取り付け、該マグネットの磁力によってロック板のアンロック状態を維持可能にした引戸用補助錠において、アンロック時に前記マグネットの吸着面と基板との間に空隙を設け、該ロック板のアンロック状態を維持可能にしたことを特徴とする引戸用補助錠。
【請求項２】
前記基板にロック板を上方または下方に折り畳み可能に枢着した請求項１記載の引戸用補助錠。
【請求項３】
表面に通孔を形成し、該通孔の裏面にマグネットを取り付けたロック板と、前記通孔とマグネットを有しないロック板とを設け、これら一対のロック板を基板の上下位置に折り畳み可能に枢着し、ロック時に前記マグネットを介して一対のロック板を吸着保持し、該一対のロック板の側端部に前記他方の引戸を当接可能にした請求項１記載の引戸用補助錠
【請求項４】
表面に通孔を形成し、該通孔の裏面にマグネットを取り付けた一対のロック板を設け、該一対のロック板を基板の上下位置に折り畳み可能に枢着し、ロック時に前記マグネットと通孔を介して一対のロック板を吸着保持し、該一対のロック板の側端部に前記他方の引戸を当接可能にした請求項１記載の引戸用補助錠。
【請求項５】
前記一対のロック板のアンロック時に前記マグネットの吸着面と基板との間に空隙を設け、各ロック板のアンロック状態を維持可能にした請求項４記載の引戸用補助錠。
【請求項６】
表面に通孔を形成し、該通孔の裏面にマグネットを取り付けたロック板と、前記通孔とマグネットを有しないロック板とを設け、これら一対のロック板を基板の上下位置に折り畳み可能に枢着するとともに、該一対のロック板に隣接して同様な一対のロック板を基板の上下位置に折り畳み可能に枢着し、何れか一方のロック板のロック時にマグネットを介して他方のロック板を吸着保持し、該一対のロック板の側端部に前記他方の引戸を当接可能にした請求項３記載の引戸用補助錠。
【請求項７】
前記他方の引戸に近接配置した一対のロック板のアンロック状態を維持し、他方の引戸から離間して配置した一対のロック板のロック状態を維持して、前記引戸の半開後の開扉を阻止可能にした請求項６記載の引戸用補助錠。
【請求項８】
表面に通孔を形成し、該通孔の裏面にマグネットを取り付けた一対のロック板を設け、該一対のロック板を基板の上下位置に折り畳み可能に枢着するとともに、該一対のロック板に隣接して同様な一対のロック板を基板の上下位置に折り畳み可能に枢着し、何れか一方のロック板のロック時にマグネットを介して他方のロック板を吸着保持し、該一対のロック板の側端部に前記他方の引戸を当接可能にした請求項４記載の引戸用補助錠。
【請求項９】
前記他方の引戸に近接配置した一対のロック板のアンロック状態を維持し、他方の引戸から離間して配置した一対のロック板のロック状態を維持して、前記引戸の半開後の開扉を阻止可能にした請求項８記載の引戸用補助錠。
【発明の詳細な説明】
【技術分野】
【０００１】
本発明は、例えばアルミサッシ窓の防犯機能の向上に好適で、簡単な構成によって安価に製作でき操作の簡便化を図れるとともに、引戸に対する当接強度を強化し防犯機能の向上を図り、しかもアンロック状態からロック状態へ移行する際の操作を簡便に行なえるとともに、ロック状態からアンロック状態へ移行する際の異音を抑制し、快適な使用状態を得られるようにした引戸用補助錠に関する。
【背景技術】
【０００２】
近時のアルミサッシ窓は、主錠であるクレセントの他に補助錠を設置して防犯機能を向上しており、この補助錠に関して種々の提案がなされている。
例えば、内外に配置した引違戸の一方の下框の端部に板状の取付部材をビス止めし、該取付部材の上端部にヒンジを介して戸当部材を起倒可能に取付け、前記ヒンジの周面に複数の係合歯を軸方向に形成し、戸当部材の上端部に突出片と一体の操作杆を上下動可能に取付け、常時はバネを介して突出片を係合歯に係合可能に配置し、戸当部材を起立させて他方の引違戸の移動を可能にするとともに、使用時には前記操作杆を上方へ引き上げ、突出片と係合歯との係合を解除して、戸当部材をヒンジを介して下方へ９０°倒し、突出片を係合歯に係合して戸当部材の転倒状態を維持し、戸当部材を他方の引違戸の移動域に位置付けて当接可能にし、他方の引違戸の移動ないし開扉を阻止するようにした開閉阻止具がある（例えば、特許文献１参照）。
【０００３】
しかし、この従来の開閉阻止具は、構成が複雑で部品点数が多く製作費が高価になるととともに、引違戸に対する取付けが面倒な上に、戸当部材の起倒操作が煩雑で手間が掛かる等の問題があった。
【０００４】
このような問題を解決するものとして、アルミサッシ窓の框枠に補助錠を構成する取付体を両面接着テ−プを介して取付け、前記取付体に連結軸を介して当接体を折り畳み自在に連結し、該当接体の内側位置に取付体との折り畳み状態を維持可能なマグネット板等の止め部材を取付け、常時はマグネット板を介して当接体を取付体側に折り畳み、かつその折り畳み状態を維持して一方の引戸の移動を可能にし、また一方の引戸の移動を阻止する場合は、マグネット板の吸着力に抗して当接体を引戸の移動域に引き倒し、該当接体に引戸を当接可能にして、その移動ないし開扉を阻止するようにした補助錠がある（例えば、特許文献２参照）。
【０００５】
しかし、前記補助錠は、常時は取付体と当接体とがマグネット板を介し密着して折り畳まれているため、当接体の引き倒し時に当接体をマグネット板から簡便に剥離することができず、補助錠を速やかに機能させることができなかった。しかも、当接体の折り畳み時には、マグネット板が取付体に勢い良く衝突して大きな異音が発生する問題があった。
そこで、前記当接体の一端部に摘みを突設し、この摘みを保持して当接体をマグネット板から剥離するようにしていたが、当接体の構成が複雑になり製作費が高価になるとともに、異音の発生が解消されない等の問題があった。
【０００６】
このような問題を解決するものとして、裏面を窓ガラスに貼り付け可能な基板の中央部の両側に軸形成片を起立形成し、該形成片に軸部を介してロックプレ−トを９０°回動可能に取付け、該ロックプレ−トは両側に回転規制片を起立形成し、該規制片に長孔を形成し、前記回転規制片を軸形成片の外側に配置し、前記長孔に軸部を挿入してロックプレ−トを回動可能に連結し、常時はロックプレ−トを折り畳んで引き戸の移動を可能にし、引戸の移動を阻止する場合は、ロックプレ−トを引き上げ、軸部を支点にロックプレ−トを下向きに回動して、引戸を回転規制片に当接可能にし、その移動ないし開扉を阻止するようにした補助錠がある（例えば、特許文献３参照）。
【０００７】
しかし、前記補助錠は、ロックプレ−トをロック機能させる際、ロックプレ−トを保持して上方へ移動する操作を要し、扁平で平滑なロックプレ−トは保持し辛く、またその移動および回動操作は操作性が悪くて手間が掛かり、しかもロック時はロックプレ−トの両側が軸部で支持されているだけで容易に回動し得るため、引戸の当接時にロックプレ−トの前端部に上向きの力が作用すると、ロックプレ−トが容易に回動して引戸が開扉され、補助錠の機能が喪失してしまう問題があった。
【０００８】
そこで、前記問題を解決するものとして、引戸の屋内側に取り付け可能な取付基板に二つのロック部材を左右に隣接して配置し、これらのロック部材を下端部の軸を中心に上下動可能に設け、引戸側に配置した一方のロック部材のロック機能時に引戸を当接させて、引戸の移動ないし開扉を阻止し、他方のロック部材のロック機能時に引戸を当接させて、半開時の引戸の移動ないし開扉を阻止し得るようにしたものがある。
この補助ロック装置において、各ロック部材の裏面にマグネット板を固定し、該マグネット板を取付基板に吸着してアンロック状態を維持させる一方、ロック部材の枢軸に捩りバネを取付け、該バネによってロック部材をロック状態側に付勢し、また各ロック部材の先端部に摘みや押動部材を設けて、取付基板に対するマグネット板の剥離操作を支援し、ロック部材のアンロック状態の形成を促すようにした補助ロック装置がある（例えば、特許文献４参照）。
【０００９】
しかし、前記補助ロック装置は、構成が複雑で部品点数が多く、しかもマグネット板に対し捩りバネの弾性よりも大きな磁力を要するため、マグネット板が高価になりコスト高を助長するとともに、アンロック状態へ移行時にマグネット板を取付基板に勢い良く当接させるため、大きな異音が発生する等の問題があった。
【先行技術文献】
【特許文献】
【００１０】
【特許文献１】実開昭５６−１７６９６１号公報
【特許文献２】実用新案登録第３０５４４２９号公報
【特許文献３】特開平１１−３６６７６号公報
【特許文献４】特開２０００−３０３７３５号公報
【発明の概要】
【発明が解決しようとする課題】
【００１１】
本発明はこのような問題を解決し、例えばアルミサッシ窓の防犯機能の向上に好適で、簡単な構成によって安価に製作でき操作の簡便化を図れるとともに、引戸に対する当接強度を強化し防犯機能の向上を図り、しかもアンロック状態からロック状態へ移行する際の操作を簡便に行なえるとともに、ロック状態からアンロック状態へ移行する際の異音を抑制し、快適な使用状態を得られるようにした引戸用補助錠を提供することを目的とする。
【００１２】
請求項１の発明は、内外に配置した引戸の一方の引戸の屋内側に取付ける基板と、該基板に折り畳み可能に枢着するロック板と、を備え、該ロック板は、基板側へ折り畳み時に他方の引戸の移動域外に位置して前記他方の引戸の移動を許容するアンロック状態と、他方の引戸の移動域内に突出して前記他方の引戸と当接し、該引戸の移動を阻止するロック状態と、を形成可能にされ、前記ロック板の両側に側片を対向配置し、かつロック板の枢着側に基板と係合可能な係止片を形成して、アンロック時にロック板を基板から離間して平行に配置するとともに、ロック板の裏面にマグネットを取り付け、該マグネットの磁力によってロック板のアンロック状態を維持可能にした引戸用補助錠において、アンロック時に前記マグネットの吸着面と基板との間に空隙を設け、該ロック板のアンロック状態を維持可能にし、マグネットを基板に吸着する場合に比べ、アンロック状態からロック状態への移行操作を簡便に行なえ、従来のような専用部材を不要にして構成を簡潔にするとともに、ロック状態からアンロック状態へ移行する際のマグネットと基板との衝突による異音を抑制し、快適な使用状態を得られるとともに、容易かつに安価に製作できるようにしている。
請求項２の発明は、基板にロック板を上方または下方に折り畳み可能に枢着し、基板に対するロック板の取付けの多様化を図るようにしている。
【００１３】
請求項３の発明は、表面に通孔を形成し、該通孔の裏面にマグネットを取り付けたロック板と、前記通孔とマグネットを有しないロック板とを設け、これら一対のロック板を基板の上下位置に折り畳み可能に枢着し、ロック時に前記マグネットを介して一対のロック板を吸着保持し、該一対のロック板の側端部に前記他方の引戸を当接可能にし、一対のロック板のうち、一方のロック板の通孔とマグネットを省略して構成の簡潔化と製作の低廉化を図り、しかも引戸の当接時には一対のロック板の側端部に前記他方の引戸を当接して、一のロック板の側端部に引戸を当接する場合に比べて、当接力を一対のロック板に分散させて軽減し、ロック板の損傷を未然に防止して引戸に対する強度を相対的に強化するようにしている。
【００１４】
請求項４の発明は、表面に通孔を形成し、該通孔の裏面にマグネットを取り付けた一対のロック板を設け、該一対のロック板を基板の上下位置に折り畳み可能に枢着し、ロック時に前記マグネットと通孔を介して一対のロック板を吸着保持し、該一対のロック板の側端部に前記他方の引戸を当接可能にして、通孔とマグネットを取付けた一対のロック板によってアンロック時のロック板の揺動を防止し、引戸の安定した移動を確保するとともに、一のロック板の側端部に引戸を当接する場合に比べて、当接力を一対のロック板に分散させて軽減し、ロック板の損傷を未然に防止して引戸に対する強度を相対的に強化するようにしている。
【００１５】
請求項５の発明は、一対のロック板のアンロック時に前記マグネットの吸着面と基板との間に空隙を設け、各ロック板のアンロック状態を維持可能にし、マグネットを基板に吸着させる場合に比べ、アンロック状態からロック状態への移行操作を簡便に行なえ、従来のような専用部材を不要にして構成を簡潔にするとともに、ロック状態からアンロック状態へ移行する際の異音を抑制するようにしている。
請求項６の発明は、表面に通孔を形成し、該通孔の裏面にマグネットを取り付けたロック板と、前記通孔とマグネットを有しないロック板とを設け、これら一対のロック板を基板の上下位置に折り畳み可能に枢着するとともに、該一対のロック板に隣接して同様な一対のロック板を基板の上下位置に折り畳み可能に枢着し、何れか一方のロック板のロック時にマグネットを介して他方のロック板を吸着保持し、該一対のロック板の側端部に前記他方の引戸を当接可能にし、構成を一部省略したロック板と通孔とマグネットを有するロック板との組み合わせによる安価な補助錠によって、閉扉状態の引戸の開扉と、半開状態の引戸の開扉を阻止するようにしている。
【００１６】
請求項７の発明は、他方の引戸に近接配置した一対のロック板のアンロック状態を維持し、他方の引戸から離間して配置した一対のロック板のロック状態を維持して、前記引戸の半開後の開扉を阻止可能にし、閉扉状態の引戸の開扉と、半開状態の引戸の開扉を阻止するようにしている。
請求項８の発明は、表面に通孔を形成し、該通孔の裏面にマグネットを取り付けた一対のロック板を設け、該一対のロック板を基板の上下位置に折り畳み可能に枢着するとともに、該一対のロック板に隣接して同様な一対のロック板を基板の上下位置に折り畳み可能に枢着し、何れか一方のロック板のロック時にマグネットを介して他方のロック板を吸着保持し、該一対のロック板の側端部に前記他方の引戸を当接可能にし、通孔を形成しマグネットを取り付けた一対のロック板からなる二組の補助錠を並設し、閉扉状態の引戸の開扉と、半開状態の引戸の開扉を阻止するようにしている。
請求項９の発明は、他方の引戸に近接配置した一対のロック板のアンロック状態を維持し、他方の引戸から離間して配置した一対のロック板のロック状態を維持して、前記引戸の半開後の開扉を阻止可能にし、閉扉状態の引戸の開扉と、半開状態の引戸の開扉を阻止するようにしている。
【発明の効果】
【００１７】
請求項１の発明は、アンロック時に前記マグネットの吸着面と基板との間に空隙を設け、該ロック板のアンロック状態を維持可能にしたから、マグネットを基板に吸着する場合に比べ、アンロック状態からロック状態への移行操作を簡便に行なえ、従来のような専用部材を不要にして構成を簡潔にするとともに、ロック状態からアンロック状態へ移行する際のマグネットと基板との衝突による異音を抑制し、快適な使用状態を得られるとともに、容易かつに安価に製作することができる。
請求項２の発明は、基板にロック板を上方または下方に折り畳み可能に枢着したから、基板に対するロック板の取付けの多様化を図ることができる。
【００１８】
請求項３の発明は、表面に通孔を形成し、該通孔の裏面にマグネットを取り付けたロック板と、前記通孔とマグネットを有しないロック板とを設け、これら一対のロック板を基板の上下位置に折り畳み可能に枢着し、ロック時に前記マグネットを介して一対のロック板を吸着保持し、該一対のロック板の側端部に前記他方の引戸を当接可能にしたから、一対のロック板のうち、一方のロック板の通孔とマグネットを省略して構成の簡潔化と製作の低廉化を図り、しかも引戸の当接時には一対のロック板の側端部に前記他方の引戸を当接し、一のロック板の側端部に引戸を当接する場合に比べて、当接力を一対のロック板に分散させて軽減し、ロック板の損傷を未然に防止して引戸に対する強度を相対的に強化することができる。
【００１９】
請求項４の発明は、表面に通孔を形成し、該通孔の裏面にマグネットを取り付けた一対のロック板を設け、該一対のロック板を基板の上下位置に折り畳み可能に枢着し、ロック時に前記マグネットと通孔を介して一対のロック板を吸着保持し、該一対のロック板の側端部に前記他方の引戸を当接可能にしたから、通孔とマグネットを取付けた一対のロック板によってアンロック時のロック板の揺動を防止し、引戸の安定した移動を確保するとともに、一のロック板の側端部に引戸を当接する場合に比べて、当接力を一対のロック板に分散させて軽減し、ロック板の損傷を未然に防止して引戸に対する強度を相対的に強化することができる。
【００２０】
請求項５の発明は、一対のロック板のアンロック時に前記マグネットの吸着面と基板との間に空隙を設け、各ロック板のアンロック状態を維持可能にしたから、マグネットを基板に吸着させる場合に比べ、アンロック状態からロック状態への移行操作を簡便に行なえ、従来のような専用部材を不要にして構成を簡潔にできるとともに、ロック状態からアンロック状態へ移行する際の異音を抑制することができる。
請求項６の発明は、表面に通孔を形成し、該通孔の裏面にマグネットを取り付けたロック板と、前記通孔とマグネットを有しないロック板とを設け、これら一対のロック板を基板の上下位置に折り畳み可能に枢着するとともに、該一対のロック板に隣接して同様な一対のロック板を基板の上下位置に折り畳み可能に枢着し、何れか一方のロック板のロック時にマグネットを介して他方のロック板を吸着保持し、該一対のロック板の側端部に前記他方の引戸を当接可能にしたから、構成を一部省略したロック板と通孔とマグネットを有するロック板との組み合わせによる安価な補助錠によって、閉扉状態の引戸の開扉と、半開状態の引戸の開扉を阻止することができる。
【００２１】
請求項７の発明は、他方の引戸に近接配置した一対のロック板のアンロック状態を維持し、他方の引戸から離間して配置した一対のロック板のロック状態を維持して、前記引戸の半開後の開扉を阻止可能にしたから、閉扉状態の引戸の開扉と、半開状態の引戸の開扉を阻止することができる。
請求項８の発明は、表面に通孔を形成し、該通孔の裏面にマグネットを取り付けた一対のロック板を設け、該一対のロック板を基板の上下位置に折り畳み可能に枢着するとともに、該一対のロック板に隣接して同様な一対のロック板を基板の上下位置に折り畳み可能に枢着し、何れか一方のロック板のロック時にマグネットを介して他方のロック板を吸着保持し、該一対のロック板の側端部に前記他方の引戸を当接可能にしたから、通孔を形成しマグネットを取り付けた一対のロック板からなる二組の補助錠を並設し、閉扉状態の引戸の開扉と、半開状態の引戸の開扉を阻止することができる。
請求項９の発明は、他方の引戸に近接配置した一対のロック板のアンロック状態を維持し、他方の引戸から離間して配置した一対のロック板のロック状態を維持して、前記引戸の半開後の開扉を阻止可能にしたから、閉扉状態の引戸の開扉と、半開き状態の引戸の開扉を阻止することができる。
【図面の簡単な説明】
【００２２】
【図１】本発明の第１の実施形態に適用した補助錠のアンロック状態を示す斜視図である。
【図２】図１の要部を拡大して示す正面図である。
【図３】図２の右側面図である。
【図４】図２の平面図である。
【図５】前記第１の実施形態に適用した補助錠のロック状態を示す斜視図である。
【００２３】
【図６】図５の要部を拡大して示す正面図である。
【図７】図６の右側面図である。
【図８】図６のＡ−Ａ線に沿う断面図である。
【図９】本発明の第２の実施形態に適用した補助錠を示す斜視図で、並設した二組の補助錠のアンロック状態を示している。
【図１０】前記第２の実施形態に適用した補助錠のうち、アンロック状態の一方の補助錠と、ロック状態の他方の補助錠を示している。
【００２４】
【図１１】本発明の第３の実施形態に適用した補助錠のアンロック状態を示す斜視図で、下側のロック板は通孔とマグネットを省略している。
【図１２】前記第３の実施形態に適用した補助錠のロック状態を示す斜視図である。
【図１３】図１２の要部を拡大して示す正面図である。
【図１４】本発明の第４の実施形態に適用した補助錠のアンロック状態を示す斜視図で、通孔とマグネットを設けた一のロック板によって補助錠を構成している。
【図１５】前記第４の実施形態に適用した補助錠のロック状態を示す斜視図である。
【発明を実施するための形態】
【００２５】
以下、本発明をアルミニウムサッシ窓に適用した図示の実施形態について説明すると、図１乃至図８において１は屋外側に配置した外側の引戸、２は屋内側に配置した内側の引戸で、それらの縦框３，４および横框（図示略）にガラス窓５，６が取付けられている。
前記ガラス窓５の縦框３寄り端部の中高位置に、鋼板製の矩形の基板７が両面接着テ−プ（図示略）を介して取付けられ、該基板７の左右両側に一対のブラケット８，９が起立して屈曲されている。
【００２６】
前記ブラケット８，９は略蒲鉾形に形成され、このそれぞれは上下に若干離間して形成され、それらの端部にピン孔(図示略)が近接して形成されていて、該ブラケット８，９の外側にロック板１０，１１の側片１２，１３を重合して、ロック板１０，１１を上下に回動可能に取付けている。
【００２７】
前記側片１２，１３はブラケット８，９と同高に形成され、その基端部にピン孔(図示略)が形成され、該ピン孔にピン１４，１５が外側から挿入され、これを前記ブラケット８，９のピン孔(図示略)に挿入して、ロック板１０，１１を回動可能に枢着している。図中、１４ａ，１５ａはピン１４，１５の円板状の頭部である。
【００２８】
前記ロック板１０，１１は鋼板をプレス成形して横長矩形に形成され、その左右両側に側片１２，１３が屈曲して形成され、その基端部に係止片１６，１７が屈曲して形成されている。この場合、ロック板１０，１１の幅を若干相違させてプレス成形すれば、ロック時にそれらの端縁に段差が形成されて、前記端縁の保持が容易になり、ロック時からアンロック時への移行操作を簡便に行なえる。
前記係止片１６，１７の折り曲げ幅はブラケット８，９の折り曲げ幅よりも幅狭に形成され、該係止片１６，１７をロック時には基板７に係合可能に近接して配置している。
【００２９】
前記ロック板１０，１１の中央部に同形の通孔１８，１９が形成され、その裏面側の口縁部周辺に矩形板状のマグネット２０，２１が接着して固定されている。この場合、マグネット２０，２１の固定手段として、前記接着の代わりに、例えばロック板１０，１１に複数の係止爪を設け、この係止爪を折り曲げてマグネット２０，２１を挟持させることも可能である。
前記マグネット２０，２１の上面はブラケット１２，１３の高さと同高に配置され、ロック板１０，１１が折り畳まれるアンロック時には、基板７とマグネット２０，２１の間に空隙ｅが形成され、基板７とマグネット２０，２１との吸着を回避している。
この場合、空隙ｅを可及的に小さく形成すれば、基板７に対するマグネット２０，２１の吸引力の低下を防止でき、またアンロック時に振動等によってロック板１０，１１が基板７から剥離し、ロック状態へ移行する事態を未然に防止し得る。
前記マグネット２０，２１の通孔１８，１９側の磁極は互いに異極に着磁され、その磁力線を通孔１８，１９の外側に形成可能にしている。
【００３０】
このように構成した本発明の引戸用補助錠は、鋼板製の基板７と一対のロック板１０，１１と、マグネット２０，２１とで構成され、これらを製作する場合は、基板７をプレス成形して矩形または方形板状に形成し、その両側部中央に各一対のブラケット８，９を若干離間して起立形成する。
【００３１】
次に、横長矩形のロック板１０，１１の中央に通孔１８，１９を適宜形状、実施形態では横長矩形に打ち抜き、上端または下端を除く端部周縁をプレス成形して、側片１２，１３と係止片１６，１７を起立形成し、これらの相対するブラケット片８，９と側片１２，１３にピン孔（図示略）を形成する。また、ロック板１０，１１の通孔１８，１９の裏面側周辺に接着剤を塗布し、マグネット２０，２１を接着する。
【００３２】
こうして製作した基板７にマグネット２０，２１を接着したロック板１０，１１を組み付ける場合は、一方のロック板１０の側片１２，１３を一方のブラケット片８，９の外側に重合して配置し、側片１２，１３の外側からピン１４，１５をピン孔(図示略)に挿入し、これを更にブラケット片８，９のピン孔(図示略)に挿入する。
この後、他方のロック板の側片１２，１３を他方のブラケット片８，９の外側に重合して配置し、側片１２，１３の外側からピン１４，１５をピン孔(図示略)に挿入し、これを更にブラケット片８，９のピン孔(図示略)に挿入する。
【００３３】
こうして組み付けられたロック板１０，１１は、ピン１４，１５を介してブラケット片８，９に回動可能に枢着され、それらをピン１４，１５を中心に基板７側に回動すると、ロック板１０，１１が側片１２，１３の幅分、基板７から前方に突出して平行に折り畳まれる。
その際、マグネット２０，２１の吸着面が基板７から空隙ｅ分離間して静止し、その磁力によって各ロック板１０，１１が基板７に吸引されて平行に保持される。
【００３４】
一方、ロック板１０，１１をピン１４，１５を中心に基板７から離反して回動すると、ロック板１０，１１が略９０°回動したところで、係止片１６，１７の端縁が基板７に係合して回動を停止され、ロック板１０，１１が互いに当接して背中合わせの起立状態を形成する。
その際、ロック板１０，１１は通孔１８，１９が対向し、その裏面に配置したマグネット２０，２１から互いに異極性の磁力線が放出されて、ロック板１０，１１が背中合わせの状態で吸着保持される。
【００３５】
こうして組み付けた補助錠を引戸に取付けて使用する場合は、ロック板１０，１１を折り畳み、そのコンパクトな姿勢をマグネット２０，２１を介して保持しながら、基板７の裏面に、例えば両面接着テ−プ(図示略)を貼り付け、その剥離紙（図示略）を剥がして屋外側引戸１のガラス窓５の縦框３寄り端部中高位置に取付ける。この状況は図１のようである。
【００３６】
この状況では、ロック板１０，１１は折り畳まれて基板７と平行状態に置かれ、屋内側引戸２の移動域の外側に位置しているから、補助錠はアンロック状態になり、屋内側引戸２の移動域が開放されて開扉可能になる。
このようなアンロック状態では、マグネット２０，２１の吸着面が図４のように基板７から空隙ｅ分離間して位置し、その磁力によって各ロック板１０，１１が基板７に吸引されて平行に保持される。
したがって、ロック板１０，１１は振動等による揺動を抑止されて安定して静止し、例えば上側のロック板１１が振動等によって下向きに回動し、アンロック状態を消失させる惧れがない。
【００３７】
次に、このようなアンロック状態から補助錠をロック状態に移行する場合は、ロック板１０，１１の下端縁または上端縁に手指を掛けてピン１４，１５を中心に上向きまたは下向きに回動する。
この場合、アンロック状態のロック板１０，１１の下端縁または上端縁は、図１のように基板７との間に側片１２，１３相当の空隙が形成されて開放されているから、前記下端縁または上端縁に手指を容易に掛けられ、前記操作を簡便に行なえる。
【００３８】
しかも、アンロック状態にはマグネット２０，２１の吸着面が基板７から空隙ｅ分離間して位置しているから、マグネット２０，２１の吸着面が基板７に吸着している場合に比べ、マグネット２０，２１の吸引力に抗するロック板１０，１１の回動力が軽減され、従来のようにこのための軽減手段を要することなく、前記ロック状態への移行操作を容易に行なえる。
【００３９】
こうしてロック板１０，１１を略９０°回動すると、係止片１６，１７の端縁が基板７に係合して回動を停止し、同時にロック板１０，１１が互いに当接して背中合わせの起立状態を形成する。この状況は図５のようである。
この状況ではロック板１０，１１の通孔１８，１９が対向し、その裏面に配置したマグネット２０，２１から互いに異極性の磁力線が放出されて、ロック板１０，１１が互いに吸着され、背中合わせの起立状態を安定して保持される。
【００４０】
そして、このような状況ではロック板１０，１１は屋内側引戸２の移動域に突出しているから、補助錠はロック状態に置かれて屋内側引戸２の移動域を閉塞し、ロック板１０，１１の片側端部に縦框４が当接して開扉を阻止し、クレセント錠(図示略)と併せて防御能力を強化する。
その際、前記起立状態の片側側片１３，１３に屋内側引戸２の縦框４が当接することになるが、屋内側引戸２の当接力はロック板１０，１１に分散され、屋内側引戸２に対する当接力を軽減するから、ロック板１０，１１の損傷を未然に防止して、屋内側引戸２に対する強度を相対的に強化する。
【００４１】
次に、前記ロック状態の補助錠をアンロック状態に移行する場合は、ロック板１０，１１の下端縁または上端縁に手指を掛けて、ピン１４，１５を中心に下向きまたは上向きに回動する。
この場合、ロック状態のロック板１０，１１の下端縁または上端縁は、図５のように開放されているから手指を容易に掛けられ、前記操作を簡便に行なえる。
【００４２】
その際、ロック時にはマグネット２０，２１の吸着面の間に通孔１８，１９が介在しているから、マグネット２０，２１の吸着面が吸着している場合に比べ、マグネット２０，２１の吸引力に抗するロック板１０，１１の回動力が軽減され、従来のこのための軽減手段を要することなく、前記アンロック状態への移行操作を容易に行なえる。
【００４３】
しかも、ロック板１０，１１の回動終期にはマグネット２０，２１の吸引力によって、基板７への復帰動作が促されるから、前記移行操作を簡便に行なえる。
また、アンロック時にはマグネット２０，２１の吸着面は基板７から空隙ｅ分離間しているから、マグネット２０，２１の吸着面を基板７に吸着させる場合に比べ、吸着時の金属音による異音の発生を抑制し得る。
【００４４】
このように本発明は、基板７に一対のロック板１０，１１を上下に回動可能に設け、これらのロック板１０，１１にマグネット２０，２１を取付け、ロック時にはロック板１０，１１を起立回動し、かつこの起立状態をマグネット２０，２１の吸引力によって強固に保持し、屋内側引戸４の当接力をロック板１０，１１に分散して半減し、ロック板１０，１１ないし補助錠に対する強度を相対的に強化し得るようにしている。
また、アンロック時にはロック板１０，１１を基板７と平行に折り畳み、マグネット２０，２１の吸着面を基板７から離間して配置し、アンロック時からロック時への移行操作を容易かつ簡便に行なえ、簡単な構成で安価に製作できるようにしている。
【００４５】
図９乃至図１５は本発明の他の実施形態を示し、前述と対応する構成部分に同一の符号を用いている。このうち、図９および図１０は本発明の第２の実施形態を示し、この実施形態では屋内側引戸４の開扉を阻止し、または屋内側引戸４のいわゆる半開状態での開扉を阻止可能にしている。
このため、この実施形態は基板７を若干大形に形成し、該基板７に上下一対のロック板１０，１１を左右に並設し、二つの補助錠を左右に並設している。
【００４６】
これらのロック板１０，１１は、前述のロック板１０，１１と同一または若干小形に形成し、対応する構成部分も同一または若干小形に形成しているが、ロック板１０，１１自体の動作は前述の実施形態と実質的に同一であり、左右の補助錠をロックまたはアンロック状態にすることによって、屋内側引戸４の開扉を可能にし、または屋内側引戸４の開扉若しくは半開状態での開扉を阻止可能にしている。
【００４７】
すなわち、図９のように左右の補助錠をアンロック状態にすることによって、屋内側引戸４を開扉可能にし、図１０のように縦框４側の一方の補助錠をアンロック状態にし、他方の補助錠をロック状態にすることによって、他方の補助錠で屋内側引戸４の半開状態での開扉を阻止可能にしている。
【００４８】
この場合、本発明は一対のロック板１０，１１をマグネット２０，２１によって安定して起立保持し、その側端部に屋内側引戸４を当接させているから、一のロック板の側端部に屋内側引戸を当接させる従来の構造に比べて、屋内側引戸４の当接力をロック板１０，１１に分散して半減し、ロック板１０，１１ないし補助錠に対する強度を相対的に強化し得るようにしている。
【００４９】
図１１乃至図１３は本発明の第３の実施形態を示し、この実施形態は上下一対の一方のロック板、実施形態では下側のロック板１０の通孔１８とマグネット２０の取付けを省略し、ロック板１０の構成を簡潔にして安価に製作し得るようにしている。
そして、アンロック時にはロック板１０を自重によって折り畳んで垂下状態を保持させ、一方、ロック板１１をマグネット２１を介し基板７に吸引させて基板７と平行な垂直状態を保持させる。
【００５０】
次に、ロック時はピン１４，１５を中心にロック板１０を上向きに回動し、これを９０°回動して係止片１６の端縁を基板７に係合させ、その起立位置を保持する。    
また、ピン１４，１５を中心にロック板１１を下向きに回動し、これを９０°回動すると係止片１７の端縁が基板７に係合して回動を停止し、同時にロック板１０，１１が互いに当接して背中合わせの起立状態を形成する。この状況は図１２のようである。
この場合、アンロック状態のロック板１０，１１の下端縁または上端縁は、図１１のように基板７との間に側片１２，１３相当の空隙が形成されて開放されているから、前記下端縁または上端縁に手指を容易に掛けられ、前記操作を簡便に行なえる。
【００５１】
しかも、アンロック状態にはマグネット２１の吸着面が基板７から空隙ｅ分離間して位置しているから、マグネット２１の吸着面が基板７に吸着している場合に比べ、マグネット２１の吸引力に抗するロック板１１の回動力が軽減され、従来のようにこのための軽減手段を要することなく、前記ロック状態への移行操作を容易に行なえる。
【００５２】
このようなロック時にはロック板１１の通孔１９がロック板１０と対向し、その裏面に配置したマグネット２１から磁力線が放出され、ロック板１０にはマグネット２１と異極の磁力が誘導されて、ロック板１０が吸引保持され、前記背中合わせの起立状態を安定して維持する。
したがって、この後、一方の側片１３，１３に縦框４を当接させて、屋内側引戸４の開扉を阻止し得る。この状況は図１３のようである。
なお、第３の実施形態は前記第１および第２の実施形態に適用することができ、そのように構成することで、前記構成の簡潔化と製作の低廉化を促せる。
【００５３】
図１４および図１５は本発明の第４の実施形態を示し、この実施形態は補助錠を上下一対のロック板１０，１１で構成する代わりに、一方のロック板１０を省略し、構成を簡潔化して製作の低廉化を図るとともに、基板７の下半部を省略して小形化している。
このように構成しても、アンロック時にはマグネット２１の吸着面が基板７から空隙ｅ分離間して位置しているから、マグネット２１の吸着面が基板７に吸着している場合に比べ、マグネット２１の吸引力に抗するロック板１１の回動力が軽減され、従来のようなこのための軽減手段を要することなく、前記ロック状態への移行操作を容易に行なえる。
【００５４】
次に、アンロック状態からロック状態に移行する場合、ロック板１１を下向きに略９０°回動すると、係止片１７の端縁が基板７に係合して回動を停止し、基板７に対する起立状態を形成する。この状況は図１５のようである。
この状況ではロック板１１は屋内側引戸２の移動域に突出しているから、補助錠はロック状態に置かれて屋内側引戸２の移動域を閉塞し、ロック板１１の片側端部に縦框４が当接して開扉を阻止し、クレセント錠(図示略)と併せて防御能力を強化する。
【００５５】
次に、前記ロック状態の補助錠をアンロック状態に移行する場合は、ロック板１１の先端縁に手指を掛けて、ピン１４，１５を中心に上向きに回動する。
この場合、ロック状態のロック板１１の先端縁は、図１５のように開放されているから、手指を容易に掛けられ前記操作を簡便に行なえる。
しかも、ロック板１１の回動終期にはマグネット２１の吸引力によって、基板７への復帰動作が促されるから、前記移行操作を簡便に行なえる。
【００５６】
そして、前記アンロック時にはマグネット２１の吸着面は基板７から空隙ｅ分離間しているから、マグネット２１の吸着面を基板７に吸着させる場合に比べ、吸着時の異音の発生を抑制し得る。
なお、第４の実施形態は前記第１および第２の実施形態に適用することができ、そのように構成することで、前記構成の簡潔化と製作の低廉化を促せる。
【産業上の利用可能性】
【００５７】
このように本発明の引戸用補助錠は、簡単な構成によって安価に製作でき、簡便に操作できるとともに、引戸に対する当接強度を強化して安定した防犯機能の向上を図れ、しかもアンロック状態からロック状態へ移行する際の操作を簡便に行なえるとともに、ロック状態からアンロック状態へ移行する際の異音の発生を抑制でき、快適な使用状態を得られるようにしたから、例えばアルミサッシ窓の防犯機能の向上に好適である。
【符号の説明】
【００５８】
１            引戸（外側）
２            引戸（内側）
７            基板
１０，１１    ロック板
１２，１３    側片
１６，１７    係止片
１８，１９    通孔
２０，２１    マグネット
ｅ            空隙
【図１】
2016023431.tif 000003
【図２】
2016023431.tif 000004
【図３】
2016023431.tif 000005
【図４】
2016023431.tif 000006
【図５】
2016023431.tif 000007
【図６】
2016023431.tif 000008
【図７】
2016023431.tif 000009
【図８】
2016023431.tif 000010
【図９】
2016023431.tif 000011
【図１０】
2016023431.tif 000012
【図１１】
2016023431.tif 000013
【図１２】
2016023431.tif 000014
【図１３】
2016023431.tif 000015
【図１４】
2016023431.tif 000016
【図１５】
2016023431.tif 000017